(57)【要約】【課題】組立時に電線を容易に収容させることが可能な組立作業性に優れたコネクタカバーを提供すること。【解決手段】コネクタ４０に装着されてコネクタ４０から引き出された電線４１を覆うコネクタカバー１０であって、互いに突き合わされてコネクタ４０に組み付けられる第一カバー１１及び第二カバー１２を有し、第一カバー１１及び第二カバー１２は、互いに突き合わされることで電線４１が挿通される挿通路Ｓを形成する保持溝部２３，３３と、保持溝部２３，３３の両縁部からなる合わせ部２５，２６，３５，３６と、を有し、第二カバー１２には、合わせ部３６に、突き合わせ方向に向かって次第に保持溝部３３から離間する方向へ傾斜した傾斜面３８ａを有するガイドリブ３８が設けられている。【選択図】図４
2020170665.tif 000002
【特許請求の範囲】
【請求項１】
コネクタに装着されて前記コネクタから引き出された電線を覆うコネクタカバーであって、
互いに突き合わされて前記コネクタに組み付けられる一対のカバーを有し、
前記カバーは、
互いに突き合わされることで前記電線が挿通される挿通路を形成する保持溝部と、
前記保持溝部の両縁部からなる合わせ部と、
を有し、
少なくとも一方の前記カバーには、少なくとも一方の前記合わせ部に、突き合わせ方向に向かって次第に前記保持溝部から離間する方向へ傾斜した傾斜面を有するガイドリブが設けられている
ことを特徴とするコネクタカバー。
【請求項２】
前記ガイドリブが、前記電線の引込方向に沿って複数配置されている
ことを特徴とする請求項１に記載のコネクタカバー。
【請求項３】
前記ガイドリブを有する合わせ部に対向する合わせ部は、前記カバーを互いに突き合わせた状態で前記ガイドリブが配置される切欠き部を有する
ことを特徴とする請求項１または請求項２に記載のコネクタカバー。
【発明の詳細な説明】
【技術分野】
【０００１】
本発明は、コネクタカバーに関する。
【背景技術】
【０００２】
コネクタにおける電線の引出側の端部に装着されてコネクタから引き出された電線を覆って保護する電線カバーがある。
【０００３】
この電線カバーとしては、互いに組み合わされる一対の合わせ面を有する分割体を備え、分割体を突き合わせることで形成される通路部に電線を通してカバーするものがある（例えば、特許文献１参照）。
【先行技術文献】
【特許文献】
【０００４】
【特許文献１】特開２０１７−１１７５３６号公報
【発明の概要】
【発明が解決しようとする課題】
【０００５】
上記の電線カバーでは、一対の分割体を互いに突き合わせて組立てる際に、一方の分割体の通路部に対して、はみ出しなどがないように配置に注意しながら電線を収容させて保持しておかなければならない。このため、分割体の組立作業時における電線の収容に手間を要する。
【０００６】
本発明は、上述した事情に鑑みてなされたものであり、その目的は、組立時に電線を容易に収容させることが可能な組立作業性に優れたコネクタカバーを提供することにある。
【課題を解決するための手段】
【０００７】
前述した目的を達成するために、本発明に係るコネクタカバーは、下記（１）〜（３）を特徴としている。
（１）  コネクタに装着されて前記コネクタから引き出された電線を覆うコネクタカバーであって、
互いに突き合わされて前記コネクタに組み付けられる一対のカバーを有し、
前記カバーは、
互いに突き合わされることで前記電線が挿通される挿通路を形成する保持溝部と、
前記保持溝部の両縁部からなる合わせ部と、
を有し、
少なくとも一方の前記カバーには、少なくとも一方の前記合わせ部に、突き合わせ方向に向かって次第に前記保持溝部から離間する方向へ傾斜した傾斜面を有するガイドリブが設けられている
ことを特徴とするコネクタカバー。
（２）  前記ガイドリブが、前記電線の引込方向に沿って複数配置されている
ことを特徴とする（１）に記載のコネクタカバー。
（３）  前記ガイドリブを有する合わせ部に対向する合わせ部は、前記カバーを互いに突き合わせた状態で前記ガイドリブが配置される切欠き部を有する
ことを特徴とする（１）または（２）に記載のコネクタカバー。
【０００８】
上記（１）の構成のコネクタカバーによれば、保持溝部からはみ出した電線がカバーの合わせ部に載っていたとしても、互いのカバーが突き合わされる際に、その電線は、カバーの合わせ部のガイドリブに形成された傾斜面によって保持溝部からなる挿通路へ向かって押し込まれる。したがって、組立時における電線の収容を容易に行うことができ、組立作業性を向上させることができる。
上記（２）の構成のコネクタカバーによれば、ガイドリブが、電線の引込方向に沿って複数配置されているので、電線の引込方向の複数箇所で電線を保持溝部からなる挿通路へ押し込むことができる。
上記（３）の構成のコネクタカバーによれば、ガイドリブを有する合わせ部が突き合わされる対向側の合わせ部にガイドリブを配置させて逃がす切欠き部を形成することで、例えば、切欠き部側の合わせ部を突き合わせ方向と直交する平面にすることができる。したがって、保持溝部へ電線を収容させる際に保持溝部からはみ出そうとする電線を平面部分で保持させて保持溝部の外側への電線の落ち込みを抑えることができる。そして、カバー同士を突き合わせる際には、平面部分に保持された電線をガイドリブによって保持溝部へ押し込むことができる。これにより、電線の噛み込みをより良好に抑制できる。
【発明の効果】
【０００９】
本発明によれば、組立時に電線を容易に収容させることが可能な組立作業性に優れたコネクタカバーを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本実施形態に係るコネクタカバーが装着されたコネクタの斜視図である。
【図２】図２は、コネクタ及びコネクタカバーの分解斜視図である。
【図３】図３は、コネクタカバーの斜視図である。
【図４】図４は、組立途中の状態を説明する図３におけるＩ−Ｉ断面図である。
【図５】図５は、コネクタカバーのコネクタへの組付け作業を示す斜視図である。
【図６】図６は、参考例に係るコネクタカバーの斜視図である。
【図７】図７は、組立途中の状態を説明する図６におけるＩＩ−ＩＩ断面図である。
【図８】図８は、変形例に係るコネクタカバーの斜視図である。
【図９】図９は、組立途中の状態を説明する図８におけるＩＩＩ−ＩＩＩ断面図である。
【発明を実施するための形態】
【００１２】
以下、本発明に係る実施の形態の例を、図面を参照して説明する。
図１は、本実施形態に係るコネクタカバーが装着されたコネクタの斜視図である。図２は、コネクタ及びコネクタカバーの分解斜視図である。
【００１３】
図１及び図２に示すように、本実施形態に係るコネクタカバー１０は、コネクタ４０における電線４１の引出側に組付けられる。電線４１は、筒状に形成された保護部材であるコルゲートチューブ８０に通されて保護されている。コルゲートチューブ８０は、樹脂製のチューブからなるもので、周方向にわたって形成された複数の山部８１及び谷部８２が軸方向に交互に形成されている。コルゲートチューブ８０は、その端部がコネクタカバー１０に係止されて保持される。これにより、コネクタ４０とコルゲートチューブ８０とがコネクタカバー１０によって連結され、コネクタ４０とコルゲートチューブ８０との間において、コネクタ４０から引き出された電線４１がコネクタカバー１０によって覆われて保護される。
【００１４】
コネクタカバー１０が組付けられるコネクタ４０は、ハウジング４３と、ハウジング４３に収容される二つのメス端子４４と、ハウジング４３に装着される環状のシール部材４６と、ハウジング４３に装着されるリテーナ４７とを備えて構成される。コネクタ４０は、相手側コネクタ（図示略）に嵌合されることで、メス端子４４が相手側コネクタのオス端子（図示略）と電気的に接続される。
【００１５】
ハウジング４３には、後方からメス端子４４が挿入される２つの端子収容室５０が形成されている。各端子収容室５０は、ハウジング４３の先端部で開放され、開放された先端部からタブ状のオス端子が挿入される。
【００１６】
端子収容室５０に挿入されて収容されるメス端子４４は、電線４１の端部に圧着されて接続されている。メス端子４４が接続された電線４１には、ゴム栓５３が装着されている。ゴム栓５３は、端子収容室５０に嵌め込まれることで、端子収容室５０をシールする。ハウジング４３は、前方に突出したインナーハウジング５４を有しており、このインナーハウジング５４の根元における外周面にシール部材４６が装着される。
【００１７】
インナーハウジング５４には、その側方からリテーナ４７が装着される。リテーナ４７は、合成樹脂から形成されたもので、一方の側部が開口するＵ状断面に形成されている。リテーナ４７は、前端を覆う前板部６１を有している。この前板部６１には、挿入口６２が形成されている。インナーハウジング５４は、その側方からリテーナ４７が装着されることで、前端がリテーナ４７の前板部６１によって覆われ、端子収容室５０とリテーナ４７の挿入口６２とが連通される。挿入口６２には、相手側コネクタのタブ状のオス端子が挿入され、端子収容室５０に収容されたメス端子４４に電気的に接続される。
【００１８】
ハウジング４３の上部には、先端に係止爪６５を有するロックアーム６６が形成されている。このロックアーム６６は、片持ち状に支持されている。このロックアーム６６は、ハウジング４３を相手側コネクタの相手側ハウジングに嵌合した際に、係止爪６５が相手側ハウジングに形成された係止突起（図示略）を係止する。これにより、ハウジング４３が相手側ハウジングに嵌合した状態にロックされる。また、ハウジング４３には、その後端部における両側部及び下部に、それぞれ外方へ張り出す係止片６７，６８が形成されている。
【００１９】
図３は、コネクタカバーの斜視図である。図４は、組立途中の状態を説明する図３におけるＩ−Ｉ断面図である。
【００２０】
図３及び図４に示すように、コネクタ４０に組付けられるコネクタカバー１０は、第一カバー１１と、第二カバー１２とを有している。第一カバー１１及び第二カバー１２は、ヒンジ部１３によって互いに回動可能に連結されている。第一カバー１１、第二カバー１２及びヒンジ部１３は、合成樹脂によって一体に成形されている。コネクタカバー１０は、第一カバー１１と第二カバー１２とが開いた状態から第一カバー１１に対して第二カバー１２を回動させることで、第一カバー１１と第二カバー１２とが互いに突き合わされた状態に組み合わされる。
【００２１】
第一カバー１１は、コネクタ４０への組付け側の端部である一端側における両側に、係止部２１を有している。係止部２１は、コネクタ４０のハウジング４３に形成された係止片６７を係止する。係止部２１は、それぞれ係止溝２２を有しており、これらの係止溝２２に係止片６７を入り込ませることで、係止片６７によって係止部２１が係止される。これにより、コネクタ４０のハウジング４３に第一カバー１１が組付けられる。
【００２２】
第一カバー１１は、第二カバー１２との突き合わせ側に、断面視で円弧状に凹む保持溝部２３を有している。この保持溝部２３の内面には、複数の係止突条２４が形成されている。これらの係止突条２４は、互いに等間隔に配置されている。係止突条２４は、コルゲートチューブ８０の谷部８２のピッチと同一の配列ピッチで配列されている。この保持溝部２３には、コルゲートチューブ８０の端部が配置される。そして、このコルゲートチューブ８０が保持溝部２３の所定位置に配置されると、コルゲートチューブ８０の谷部８２に、係止突条２４が入り込み、これにより、コルゲートチューブ８０の端部が保持溝部２３に係止される。
【００２３】
また、第一カバー１１の第二カバー１２との突き合わせ側には、コネクタ４０のハウジング４３への組付け側に位置決め壁２０が形成されている。位置決め壁２０は、電線４１の引込方向と直交する幅方向に沿って形成されており、コルゲートチューブ８０の端部が当接されることで、コルゲートチューブ８０を軸方向に位置決めする。
【００２４】
第一カバー１１は、保持溝部２３の両縁部が第二カバー１２と突き合わされる合わせ部２５，２６とされている。第二カバー１２との連結側と反対側の合わせ部２６は、傾斜部２８を有している。
【００２５】
第二カバー１２は、コネクタ４０への組付け側の端部である一端側に、係止部３１を有している。係止部３１は、コネクタ４０のハウジング４３に形成された係止片６８を係止する。係止部３１は、係止溝３２を有しており、この係止溝３２に係止片６８を入り込ませることで、係止片６８によって係止部３１が係止される。これにより、コネクタ４０のハウジング４３に第二カバー１２が組付けられる。
【００２６】
第二カバー１２は、第一カバー１１との突き合わせ側に、断面視で円弧状に凹む保持溝部３３を有している。この保持溝部３３の内面には、複数の係止突条３４が形成されている。これらの係止突条３４は、互いに等間隔に配置されている。係止突条３４は、第一カバー１１の保持溝部２３に形成された係止突条２４と同様に、コルゲートチューブ８０の谷部８２のピッチと同一の配列ピッチで配列されている。この保持溝部３３には、コルゲートチューブ８０の端部が配置される。そして、このコルゲートチューブ８０が保持溝部３３の所定位置に配置されると、コルゲートチューブ８０の谷部８２に、係止突条３４が入り込み、これにより、コルゲートチューブ８０の端部が保持溝部３３に係止される。
【００２７】
また、第二カバー１２の第一カバー１１との突き合わせ側には、コネクタ４０のハウジング４３への組付け側に位置決め壁３０が形成されている。位置決め壁３０は、電線４１の引込方向と直交する幅方向に沿って形成されており、コルゲートチューブ８０の端部が当接されることで、コルゲートチューブ８０を軸方向に位置決めする。
【００２８】
第二カバー１２は、保持溝部３３の両縁部が第一カバー１１と突き合わされる合わせ部３５，３６とされている。第一カバー１１との連結側と反対側の合わせ部３６は、平面部３７と、ガイドリブ３８とを有している。平面部３７は、第二カバー１２との突き合わせ方向と直交する方向に沿う平面を有している。ガイドリブ３８は、平面部３７に対して保持溝部３３と反対側に複数形成されており、第一カバー１１との突き合わせ方向に向かって突出されている。これらのガイドリブ３８は、第一カバー１１との突き合わせ方向に向かって次第に保持溝部３３から離間する方向へ傾斜する傾斜面３８ａを有している。ガイドリブ３８は、保持溝部３３に形成された係止突条３４に対して電線４１の引込方向にずれた位置に形成されている。
【００２９】
第一カバー１１には、第二カバー１２との連結側に、ロック孔５１が形成されている。このロック孔５１には、その一方側の内側面に、ロック凸部５１ａが形成されている。さらに、第一カバー１１には、第二カバー１２との連結側と反対側に、ロック片５２が形成されている。このロック片５２には、その先端部分に、ロック爪５２ａが形成されている。
【００３０】
第二カバー１２には、第一カバー１１との連結側に、ロック片５５が形成されている。このロック片５５には、その先端部分に、ロック爪５５ａが形成されている。さらに、第二カバー１２には、第一カバー１１との連結側と反対側に、凹部５６が形成されている。この凹部５６には、ロック凸部５６ａが形成されている。
【００３１】
次に、コネクタカバー１０をコネクタ４０に組付ける場合について説明する。
図５は、コネクタカバーのコネクタへの組付け作業を示す斜視図である。
【００３２】
まず、コネクタ４０にコネクタカバー１０の第一カバー１１を装着する。具体的には、図５に示すように、コネクタ４０の後端における上部に第一カバー１１を近づけ、第一カバー１１の係止部２１の係止溝２２にコネクタ４０のハウジング４３に形成された係止片７５を挿し込んで係合させる。このようにすると、コネクタ４０から引き出された電線４１が第一カバー１１の保持溝部２３内に引き込まれて配置される。
【００３３】
次に、コネクタカバー１０の第一カバー１１にコルゲートチューブ８０を装着させる。具体的には、コルゲートチューブ８０をコネクタカバー１０の第一カバー１１が装着されたコネクタ４０へ近付け、コルゲートチューブ８０の端部を位置決め壁２０に当接させて位置決めし、保持溝部２３へ入り込ませる。すると、コルゲートチューブ８０の谷部８２に保持溝部２３の係止突条２４が入り込み、コルゲートチューブ８０の端部が保持溝部２３に係止される。
【００３４】
その後、ヒンジ部１３による連結箇所を中心に第二カバー１２を第一カバー１１側へ向かって（図４及び図５中矢印Ａ方向へ）回動させる。そして、コネクタ４０に装着されてコルゲートチューブ８０が係止された第一カバー１１に対して第二カバー１２を突き合わせる。
【００３５】
すると、第二カバー１２の係止部３１の係止溝３２にコネクタ４０のハウジング４３に形成された係止片７５が挿し込まれて係合する。すると、第二カバー１２の保持溝部３３にコルゲートチューブ８０が入り込む。これにより、コルゲートチューブ８０の谷部８２に保持溝部３３の係止突条３４が入り込み、コルゲートチューブ８０の端部が第一カバー１１及び第二カバー１２の保持溝部２３，３３に係止されて保持される。
【００３６】
このとき、保持溝部２３からはみ出した電線４１が第一カバー１１の合わせ部２６に載っている場合がある。この場合であったとしても、第二カバー１２が第一カバー１１に突き合わされる際に、その電線４１は、第二カバー１２の合わせ部３６のガイドリブ３８に形成された傾斜面３８ａによって保持溝部２３，３３からなる挿通路Ｓへ向かって（図４中矢印Ｂ方向へ向かって）押し込まれる。
【００３７】
そして、第一カバー１１に対して第二カバー１２が突き合わされると、第二カバー１２のロック片５５が第一カバー１１のロック孔５１に挿し込まれ、ロック片５５のロック爪５５ａがロック孔５１のロック凸部５１ａを係止する。さらに、第一カバー１１のロック片５２が第二カバー１２の凹部５６に入り込み、ロック片５２のロック爪５２ａが凹部５６のロック凸部５６ａを係止する。これにより、第一カバー１１と第二カバー１２とが、互いに突き合わされた状態でロックされる。
【００３８】
このように、コネクタ４０にコネクタカバー１０を組付けることで、互いに突き合わされた第一カバー１１及び第二カバー１２の保持溝部２３，３３によって挿通路Ｓが形成され、コネクタ４０から引き出された電線４１が挿通路Ｓに通される。これにより、コネクタ４０から引き出された電線４１が覆われて保護される。
【００３９】
ここで、参考例に係るコネクタカバー１００について説明する。
なお、本実施形態に係るコネクタカバー１０と同一構成部分は同一符号を付して説明を省略する。
図６は、参考例に係るコネクタカバーの斜視図である。図７は、組立途中の状態を説明する図６におけるＩＩ−ＩＩ断面図である。
【００４０】
図６及び図７に示すように、参考例に係るコネクタカバー１００は、ガイドリブ３８のない合わせ部３６を有する第二カバー１２を備えている。このコネクタカバー１００では、保持溝部２３からはみ出した電線４１が第一カバー１１の合わせ部２６に載っている場合がある。この場合、第二カバー１２が第一カバー１１に突き合わされる際に、その電線４１が第一カバー１１と第二カバー１２の合わせ部２６，３６に噛み込んでしまう（図７参照）。このため、この参考例に係るコネクタカバー１００では、第二カバー１２を回動させて第一カバー１１と第二カバー１２とを突き合わせて組み立てる際に、第一カバー１１の保持溝部２３からの電線４１のはみ出しがないように常に注意しなければならない。このため、組立作業時における電線４１の収容に手間を要する。
【００４１】
これに対して、本実施形態に係るコネクタカバー１０では、保持溝部２３からはみ出した電線４１が第一カバー１１の合わせ部２６に載っていたとしても、次のようになる。すなわち、第二カバー１２が第一カバー１１に突き合わされる際に、その電線４１は、第二カバー１２の合わせ部３６のガイドリブ３８に形成された傾斜面３８ａによって保持溝部２３，３３からなる挿通路Ｓへ向かって（図４中矢印Ｂ方向へ向かって）押し込まれる。したがって、組立時における電線４１の収容を容易に行うことができ、組立作業性を向上させることができる。
【００４２】
また、ガイドリブ３８が、電線４１の引込方向に沿って複数配置されているので、電線４１の引込方向の複数箇所で電線４１を挿通路Ｓへ押し込むことができる。
【００４３】
次に、変形例に係るコネクタカバー１０Ａについて説明する。
なお、上記実施形態に係るコネクタカバー１０と同一構成部分は、同一符号を付して説明を省略する。
図８は、変形例に係るコネクタカバーの斜視図である。図９は、組立途中の状態を説明する図８におけるＩＩＩ−ＩＩＩ断面図である。
【００４４】
図８及び図９に示すように、変形例に係るコネクタカバー１０Ａでは、第一カバー１１の合わせ部２６に複数の切欠き部２７ａを有している。これらの切欠き部２７ａは、第一カバー１１と第二カバー１２とを突き合わせた際に、第二カバー１２のガイドリブ３８が配置される位置に形成されている。切欠き部２７ａは、合わせ部２６に設けられた平面部２７に形成されている。平面部２７は、第二カバー１２との突き合わせ方向と直交する方向に沿う平面を有している。
【００４５】
このように、合わせ部２６にガイドリブ３８を配置させて逃がす切欠き部２７ａを形成することで、合わせ部２６に、突き合わせ方向と直交する平面を有する平面部２７を設けることができる。したがって、保持溝部２３へ電線４１を収容させる際に保持溝部２３からはみ出そうとする電線４１を平面部２７の平面部分で保持させて保持溝部２３の外側への落ち込みを抑えることができる。そして、第一カバー１１と第二カバー１２とを突き合わせる際には、平面部２７に保持された電線４１をガイドリブ３８によって保持溝部２３，３３へ押し込むことができる。これにより、電線４１の噛み込みをより良好に抑制できる。しかも、ガイドリブ３８を合わせ部２６に干渉させることなく、第一カバー１１と第二カバー１２とを円滑に突き合わせて組み立てることができる。
【００４６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
例えば、ガイドリブ３８は、第二カバー１２の合わせ部３５，３６の両方に設けても良く、また、第一カバー１１の合わせ部２５，２６に設けてもよい。
【００４８】
ここで、上述した本発明に係るコネクタカバーの実施形態の特徴をそれぞれ以下［１］〜［３］に簡潔に纏めて列記する。
［１］  コネクタ（４０）に装着されて前記コネクタ（４０）から引き出された電線（４１）を覆うコネクタカバー（１０，１０Ａ）であって、
互いに突き合わされて前記コネクタ（４０）に組み付けられる一対のカバー（第一カバー１１，第二カバー１２）を有し、
前記カバー（第一カバー１１，第二カバー１２）は、
互いに突き合わされることで前記電線（４１）が挿通される挿通路（Ｓ）を形成する保持溝部（２３，３３）と、
前記保持溝部（２３，３３）の両縁部からなる合わせ部（２５，２６，３５，３６）と、
を有し、
少なくとも一方の前記カバー（第二カバー１２）には、少なくとも一方の前記合わせ部（３６）に、突き合わせ方向に向かって次第に前記保持溝部（３３）から離間する方向へ傾斜した傾斜面（３８ａ）を有するガイドリブ（３８）が設けられている
ことを特徴とするコネクタカバー。
［２］  前記ガイドリブ（３８）が、前記電線（４１）の引込方向に沿って複数配置されている
ことを特徴とする［１］に記載のコネクタカバー。
［３］  前記ガイドリブ（３８）を有する合わせ部（３６）に対向する合わせ部（２６）は、前記カバー（第一カバー１１，第二カバー１２）を互いに突き合わせた状態で前記ガイドリブ（３８）が配置される切欠き部（２７ａ）を有する
ことを特徴とする［１］または［２］に記載のコネクタカバー。
【符号の説明】
【００４９】
１０，１０Ａ：コネクタカバー
１１：第一カバー（カバー）
１２：第二カバー（カバー）
２３，３３：保持溝部
２５，２６，３５，３６：合わせ部
２７ａ：切欠き部
３８：ガイドリブ
３８ａ：傾斜面
４０：コネクタ
４１：電線
Ｓ：挿通路
【図１】
2020170665.tif 000003
【図２】
2020170665.tif 000004
【図３】
2020170665.tif 000005
【図４】
2020170665.tif 000006
【図５】
2020170665.tif 000007
【図６】
2020170665.tif 000008
【図７】
2020170665.tif 000009
【図８】
2020170665.tif 000010
【図９】
2020170665.tif 000011